【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
複数の色成分を有する画像データを転送するコントローラと、
前記コントローラから転送された画像データを受信し、画像処理を実行する第１の処理モジュールと、
前記コントローラから転送された画像データを前記第１の処理モジュールを介して受信し、前記画像データに対して画像処理を実行する第２の処理モジュールと、を備え、
前記コントローラは、前記第１の処理モジュール及び前記第２の処理モジュールそれぞれの間で生じる通信量に少なくとも基づいて、前記画像データの複数の色成分のうち前記第１の処理モジュール及び前記第２の処理モジュールのそれぞれが処理対象とする色成分を決定し、
前記決定された色成分に基づき前記第１の処理モジュールにより前記画像処理が実行された実行済みデータは、前記コントローラへ転送され、
前記決定された色成分に基づき前記第２の処理モジュールにより前記画像処理が実行された実行済みデータは、前記第１の処理モジュールを介して前記コントローラへ転送される、
ことを特徴とする画像処理装置。
【請求項２】
前記第１の処理モジュールと前記第２の処理モジュールは直列に接続されていることを特徴とする請求項１に記載の画像処理装置。
【請求項３】
前記コントローラは、前記第２の処理モジュールが処理対象とする色成分の数が、前記第１の処理モジュールが処理対象とする色成分の数以上となるように決定することを特徴とする請求項２に記載の画像処理装置。
【請求項４】
前記第１の処理モジュールと前記第２の処理モジュールとを含む複数の処理モジュールを備え、
前記画像データは、前記複数の処理モジュールのうち最も前段の処理モジュールに入力された後、後段の処理モジュールに順次、転送されることを特徴とする請求項２又は３に記載の画像処理装置。
【請求項５】
前記実行済みデータは、前段の処理モジュールを介して前記コントローラに転送されることを特徴とする請求項２乃至４のいずれか１項に記載の画像処理装置。
【請求項６】
前記コントローラは、前記第１の処理モジュール及び前記第２の処理モジュールそれぞれの、前記通信量に対応するデータの転送量に基づいて、それぞれが処理対象とする色成分を決定することを特徴とする請求項２乃至５のいずれか１項に記載の画像処理装置。
【請求項７】
前記コントローラは、前記第１の処理モジュール及び前記第２の処理モジュールそれぞれに１色成分ずつ割り当て、当該割り当てた状態で前記通信量が低い処理モジュールに対してさらに１色成分を割り当てることによって、前記第１の処理モジュール及び前記第２の処理モジュールそれぞれが処理対象とする色成分を決定することを特徴とする請求項２乃至６のいずれか１項に記載の画像処理装置。
【請求項８】
前記コントローラは、前記第１の処理モジュール及び前記第２の処理モジュールそれぞれのバス帯域に基づいて、前記第１の処理モジュール及び前記第２の処理モジュールそれぞれが処理対象とする色成分を決定することを特徴とする請求項２乃至６のいずれか１項に記載の画像処理装置。
【請求項９】
複数の色成分を有する画像データを転送するコントローラと、
前記コントローラから転送された画像データを受信し、画像処理を実行する第１の処理モジュールと、
前記コントローラから転送された画像データを前記第１の処理モジュールを介して受信し、前記画像データに対して画像処理を実行する第２の処理モジュールと、を備え、
前記第１の処理モジュールにより、前記受信された画像データに対して画像処理が実行された実行済みデータは、前記コントローラへ転送され、
前記第２の処理モジュールにより、前記第１の処理モジュールを介して受信された画像データに対して画像処理が実行された実行済みデータは、前記第１の処理モジュールを介して前記コントローラへ転送され、
前記第１の処理モジュールで実行される画像処理の対象とする色成分の数は、前記第２の処理モジュールで実行される画像処理の対象とする色成分の数よりも少ない、
ことを特徴とする画像処理装置。
【請求項１０】
前記第１の処理モジュールと前記第２の処理モジュールは直列に接続されていることを特徴とする請求項９に記載の画像処理装置。
【請求項１１】
前記第１の処理モジュールと前記第２の処理モジュールとを含む複数の処理モジュールを備え、
前記画像データは、前記複数の処理モジュールのうち最も前段の処理モジュールに入力された後、後段の処理モジュールに順次、転送されることを特徴とする請求項９又は１０に記載の画像処理装置。
【請求項１２】
前記第１の処理モジュールと前記第２の処理モジュールは、前記画像データの同じバンド領域に対する画像処理を実行することを特徴とする請求項１乃至１１のいずれか１項に記載の画像処理装置。
【請求項１３】
前記第１の処理モジュールと前記第２の処理モジュールとを含む第１のグループが第１のバンド領域に対する画像処理を実行し、
前記第１のグループと並列に接続された、第３の処理モジュールと第４の処理モジュールとを含む第２のグループが、前記第１のバンド領域とは異なるバンド領域に対して画像処理を実行することを特徴とする請求項１乃至１２のいずれか１項に記載の画像処理装置。
【請求項１４】
前記画像処理は、第１の色空間から第２の色空間に前記画像データを変換する処理であることを特徴とする請求項１乃至１３のいずれか１項に記載の画像処理装置。
【請求項１５】
前記第１の色空間の色成分はＲＧＢを含み、前記第２の色空間の色成分はＣＭＹＫＬｃＬｍＧｙを含むことを特徴とする請求項１４に記載の画像処理装置。
【請求項１６】
前記画像処理が実行された画像データに基づいて画像を記録媒体に記録する記録手段、をさらに備えることを特徴とする請求項１乃至１５のいずれか１項に記載の画像処理装置。
【請求項１７】
前記第１の処理モジュールと前記第２の処理モジュールはＡＳＩＣであることを特徴とする請求項１乃至１６のいずれか１項に記載の画像処理装置。
【請求項１８】
複数の色成分を有する画像データを転送するコントローラと、
前記コントローラから転送された画像データを受信し、画像処理を実行する第１の処理モジュールと、
前記コントローラから転送された画像データを前記第１の処理モジュールを介して受信し、前記画像データに対して画像処理を実行する第２の処理モジュールと、を備える画像処理装置において実行される画像処理方法であって、
前記コントローラが、前記第１の処理モジュール及び前記第２の処理モジュールそれぞれの間で生じる通信量に少なくとも基づいて、前記画像データの複数の色成分のうち前記第１の処理モジュール及び前記第２の処理モジュールのそれぞれが処理対象とする色成分を決定する工程と、
前記決定された色成分に基づき前記第１の処理モジュールにより前記画像処理が実行された実行済みデータを、前記コントローラへ転送する工程と、
前記決定された色成分に基づき前記第２の処理モジュールにより前記画像処理が実行された実行済みデータを、前記第１の処理モジュールを介して前記コントローラへ転送する工程と、
を有することを特徴とする画像処理方法。
【請求項１９】
複数の色成分を有する画像データを転送するコントローラと、
前記コントローラから転送された画像データを受信し、画像処理を実行する第１の処理モジュールと、
前記コントローラから転送された画像データを前記第１の処理モジュールを介して受信し、前記画像データに対して画像処理を実行する第２の処理モジュールと、を備える画像処理装置において実行される画像処理方法であって、
前記第１の処理モジュールにより、前記受信された画像データに対して画像処理が実行された実行済みデータを、前記コントローラへ転送する工程と、
前記第２の処理モジュールにより、前記第１の処理モジュールを介して受信された画像データに対して画像処理が実行された実行済みデータを、前記第１の処理モジュールを介して前記コントローラへ転送する工程と、を有し、
前記第１の処理モジュールで実行される画像処理の対象とする色成分の数は、前記第２の処理モジュールで実行される画像処理の対象とする色成分の数よりも少ない、
ことを特徴とする画像処理方法。
【請求項２０】
請求項１８又は１９に記載の画像処理方法の各工程をコンピュータに実行させるためのプログラム。